(57)【要約】      （修正有）【課題】移動体の位置を測位する移動体位置測位システムを提供することを目的とする。【解決手段】移動体位置測位システムは、移動体に設置した近距離無線通信装置３と移動体の近傍の利用者の可搬型通信端末４と事業者サーバ２から構成され、可搬型通信端末４は、近距離無線通信装置３から発信された装置識別情報／移動体識別情報を受信したことを検出する識別情報検出処理部と、装置識別情報／移動体識別情報を受信したことを検出した後、可搬型通信端末４における位置測位装置を用いて可搬型通信端末４の位置情報を検出する位置情報検出処理部と、装置識別情報／移動体識別情報と位置情報とを事業者サーバ２に送信する検出情報送信処理部とを有しており、事業者サーバ２は、可搬型通信端末４から装置識別情報／移動体識別情報と位置情報とを受け付ける検出情報受付処理部と、装置識別情報／移動体識別情報と位置情報とを記憶する検出情報記憶部とを有する。【選択図】図１
2018156444.tif 000002
【特許請求の範囲】
【請求項１】
移動体に設置した近距離無線通信装置と，前記移動体の近傍にいる利用者が利用する可搬型通信端末とを用いて所定のコンピュータに前記移動体の位置情報を送る移動体位置測位システムであって，
前記可搬型通信端末は，
前記近距離無線通信装置から近距離無線通信により発信された装置識別情報または移動体識別情報を受信したことを検出する識別情報検出処理部と，
前記識別情報検出処理部において装置識別情報または移動体識別情報を受信したことを検出した後，前記可搬型通信端末における位置測位装置を用いて前記可搬型通信端末の位置情報を検出する位置情報検出処理部と，
前記装置識別情報または移動体識別情報と，前記位置情報とを前記コンピュータに送信する検出情報送信処理部と，を有しており，
前記コンピュータは，
前記可搬型通信端末から前記装置識別情報または移動体識別情報と前記位置情報とを受け付ける検出情報受付処理部と，
前記装置識別情報または移動体識別情報と前記位置情報とを記憶する検出情報記憶部と，を有する，
ことを特徴とする移動体位置測位システム。
【請求項２】
前記可搬型通信端末は，さらに，
前記移動体の位置情報の問い合わせ要求の操作を受け付けると，前記可搬型通信端末における位置測位装置を用いて前記可搬型通信端末の位置情報を検出し，前記問い合わせ要求と前記位置情報とを前記コンピュータに送信する移動体情報要求処理部と，
前記問い合わせ要求に対応する前記移動体の位置情報を前記コンピュータから受け取り，表示処理を行う移動体情報表示処理部と，を有しており，
前記コンピュータは，さらに，
前記可搬型通信端末からの問い合わせ要求と位置情報とを受け付け，前記位置情報に対応する移動体を前記検出情報記憶部に基づいて特定し，前記特定した移動体の情報を前記可搬型通信端末に送信する移動体情報問い合わせ処理部と，を有する，
ことを特徴とする請求項１に記載の移動体位置測位システム。
【請求項３】
前記検出情報受付処理部は，
同一の移動体についての位置情報を，複数の可搬型通信端末から受け付けた場合，受け付けたそれぞれの位置情報を用いて，前記移動体の位置情報を算出または特定し，前記検出情報記憶部に記憶させる，
ことを特徴とする請求項１または請求項２に記載の移動体位置測位システム。
【請求項４】
前記可搬型通信端末における前記識別情報検出処理部と位置情報検出処理部と検出情報送信処理部と前記移動体情報要求処理部と前記移動体情報表示処理部とは，一つのアプリケーションプログラムとして，前記可搬型通信端末を機能させる，
ことを特徴とする請求項２または請求項３に記載の移動体位置測位システム。
【請求項５】
前記可搬型通信端末において，前記移動体の位置情報の問い合わせ要求とその位置情報の表示処理がオンになっている場合には，前記可搬型通信端末で検出した位置情報を前記コンピュータに送信する処理をオンにする，またはオフにできない，
ことを特徴とする請求項２から請求項４のいずれかに記載の移動体位置測位システム。
【請求項６】
移動体の近傍にいる利用者が利用する可搬型通信端末を用いて，前記移動体の位置情報を所定のコンピュータに送る移動体位置測位システムであって，
前記移動体位置測位システムは，
前記移動体に設置した近距離無線通信装置から近距離無線通信により発信された装置識別情報または移動体識別情報を前記可搬型通信端末で受信したことを検出する識別情報検出処理部と，
前記識別情報検出処理部において装置識別情報または移動体識別情報を受信したことを検出した後，前記可搬型通信端末における位置測位装置を用いて前記可搬型通信端末の位置情報を検出する位置情報検出処理部と，
前記装置識別情報または移動体識別情報と，前記位置情報とをあらかじめ定められたコンピュータに送信することで，前記コンピュータにおいて，前記移動体の位置情報として記憶させる検出情報送信処理部と，
を備えることを特徴とする移動体位置測位システム。
【請求項７】
可搬型通信端末を，
移動体に設置した近距離無線通信装置から近距離無線通信により発信された装置識別情報または移動体識別情報を前記可搬型通信端末で受信したことを検出する識別情報検出処理部，
前記識別情報検出処理部において装置識別情報または移動体識別情報を受信したことを検出した後，前記可搬型通信端末における位置測位装置を用いて前記可搬型通信端末の位置情報を検出する位置情報検出処理部，
前記装置識別情報または移動体識別情報と，前記位置情報とをあらかじめ定められたコンピュータに送信することで，前記コンピュータにおいて，前記移動体の位置情報として記憶させる検出情報送信処理部，
として機能させることを特徴とするアプリケーションプログラム。
【請求項８】
前記アプリケーションプログラムは，さらに，
前記可搬型通信端末を，
前記移動体の位置情報の問い合わせ要求の操作を受け付けると，前記可搬型通信端末における位置測位装置を用いて前記可搬型通信端末の位置情報を検出し，前記問い合わせ要求と前記位置情報とを前記コンピュータに送信する移動体情報要求処理部，
前記問い合わせ要求に対応する前記移動体の位置情報を前記コンピュータから受け取り，表示処理を行う移動体情報表示処理部，
として機能させ，
前記識別情報検出処理部，位置情報検出処理部，検出情報送信処理部，移動体情報要求処理部，移動体情報表示処理部が一つのアプリケーションプログラムとして構成されている，
ことを特徴とする請求項６に記載のアプリケーションプログラム。
【発明の詳細な説明】
【技術分野】
【０００１】
本発明は，バス，タクシー，トラック，電車などの移動体の位置を測位する移動体位置測位システムに関する。
【背景技術】
【０００２】
たとえばバス，タクシー，トラック，電車などの移動体を利用しようとする者は，その移動体が現在どの位置にあるのかを知りたい場合が多い。そのため，移動体の現在の位置を測位し，その乗客などに対して移動体の位置を提供するいくつかのロケーションシステムが考えられている。
【０００３】
第１の方法としては，たとえば，バスのロケーションシステムがある。これは，バスにＧＰＳレシーバーと通信装置とを設置し，ＧＰＳによって測位したバスの位置情報を，通信装置を介して所定のサーバに送信する。そしてサーバは，バス停にバスの位置情報を送信し，バスを待っている乗客に知らせている（非特許文献１）。また，バスの位置情報を所定のウェブサイトから閲覧可能とすることで，バス停で待たずともウェブサイトを介して，バスの位置情報の提供を行っている（非特許文献１）。
【０００４】
また第２の方法として，バスのナンバープレートなどの個体識別情報を認識するカメラなどの装置を道路に設置し，通過したバスの個体識別情報を読み取り，読み取った個体識別情報と装置の識別情報とを所定のサーバに送信する方法がある。この場合，装置の識別情報に基づいて，当該バスがどの位置を通過したかを特定している（非特許文献２乃至非特許文献４）。
【０００５】
さらに第３の方法として，バスの車内とバス停にそれぞれビーコン装置を設置し，バスの利用者や乗務員が所持する無線通信端末がビーコン信号を受信した場合に，バスの車内のビーコン信号と，バス停のビーコン信号の双方の情報をネットワーク経由で運行管理サーバに送信することで，バスがどのバス停にいるのかを知らせるシステムがある（特許文献１）。
【先行技術文献】
【特許文献】
【０００６】
【特許文献１】特開２０１６−１５７２７３号公報
【非特許文献】
【０００７】
【非特許文献１】内閣府宇宙開発戦略推進事務局，”ＧＰＳで現在地を示して不便を解消。東京都交通局の「バスロケシステム」｜利用者向け情報｜みちびき（準天頂衛星システム：ＱＺＳＳ）公式サイト−内閣府”，[online]，インターネット＜ＵＲＬ：http://qzss.go.jp/usage/userreport/to-bus_1508114.html＞
【非特許文献２】池田達治ほか，”車両ナンバ読取システムの開発”，[online]，インターネット＜ＵＲＬ：http://nissin.jp/technical/technicalreport/pdf/2010-135/2010-135-06.pdf＞
【非特許文献３】加藤武彦ほか，”自動ナンバープレート読取装置の開発”，[online]，インターネット＜ＵＲＬ：http://www.sei.co.jp/technology/tr/bn181/pdf/sei10732.pdf＞
【非特許文献４】株式会社リネイル，”ナンバー認識システム  ＮＡＣＳ”，[online]，インターネット＜ＵＲＬ：http://www.reneil.jp/nacs.html＞
【発明の概要】
【発明が解決しようとする課題】
【０００８】
第１の方法の場合，バスなどの移動体にＧＰＳ装置と通信装置の双方を設置する必要がある。移動体による交通事業者にとっては，初期コストが高く，通信コストなどのランニングコストの負担も大きい。とくに，地方のバス路線などでは利用者の少ない路線も多く，交通事業者にとって初期コストの負担が大きいものは導入が困難であった。
【０００９】
第２の方法においても，移動体のロケーションシステムを目的として設置する場合には初期コストが高くなる。そして，装置を設置した場所を移動体が通過したことを検出できるのみで，それ以外の場所を移動体が移動している場合には，その位置情報を把握することはできない。また，地方のバス路線などでは，幹線道路ではない道路がバスの運行ルートになっていることも多く，コストのかかる装置が設置されていない可能性がある。その場合には，移動体の位置情報を把握できない。
【００１０】
さらに第３の方法は，バスにＧＰＳ装置，通信装置を設置するコストが増加すること，そして，バスに設置したＧＰＳ機能の精度が悪い場合に，バスが停留所に近づいているか到着しているかを正確に判断することが困難であることを前提とし，バスおよびバス停のそれぞれに設置したビーコン装置からのビーコン信号を受信することで，ＧＰＳ装置を用いないで，上記問題点の解決を図ったバスロケーションのシステムである。
【００１１】
第３の方法の場合，バスとバス停の双方にそれぞれビーコン装置を設置する必要があるので，バス停が多い路線の場合には，ＧＰＳ装置を用いた場合ほどではないにしても，相応の初期コストを要する。また，バス停がなく，バス路線の任意の箇所で乗降が可能なバス路線には適用することができない。さらに，バスがバス停に近づかないと，バスの位置を検出することができないので，乗車を希望するバスに乗り遅れないためには，一つ前のバス停にバスが到着した時点など，自らが乗車するバス停にバスが到着する前に行くなど，その行動を開始しなければならない。これは，バスの現在位置を知ることができずに推測のみで行動を開始することを意味する。しかし，たとえば積雪の多い地域では，雪による交通事情の悪化から頻繁に渋滞などが発生し，バスの到着が遅延することなどもあり，一つ前のバス停にバスが到着しても，自らが乗車するバス停にすぐにバスが到着するとは限らず，無駄な待機時間をバス停で過ごさなければならなくなるなど，利用者の利便性の観点から問題がある。
【課題を解決するための手段】
【００１２】
本発明者は上記課題に鑑み，本発明の移動体位置測位システムを発明した。
【００１３】
第１の発明は，移動体に設置した近距離無線通信装置と，前記移動体の近傍にいる利用者が利用する可搬型通信端末とを用いて所定のコンピュータに前記移動体の位置情報を送る移動体位置測位システムであって，前記可搬型通信端末は，前記近距離無線通信装置から近距離無線通信により発信された装置識別情報または移動体識別情報を受信したことを検出する識別情報検出処理部と，前記識別情報検出処理部において装置識別情報または移動体識別情報を受信したことを検出した後，前記可搬型通信端末における位置測位装置を用いて前記可搬型通信端末の位置情報を検出する位置情報検出処理部と，前記装置識別情報または移動体識別情報と，前記位置情報とを前記コンピュータに送信する検出情報送信処理部と，を有しており，前記コンピュータは，前記可搬型通信端末から前記装置識別情報または移動体識別情報と前記位置情報とを受け付ける検出情報受付処理部と，前記装置識別情報または移動体識別情報と前記位置情報とを記憶する検出情報記憶部と，を有する，移動体位置測位システムである。
【００１４】
本発明のように構成することで，移動体には事業者などが管理するコンピュータとの間の通信を行う通信装置を備えることはなく，近距離の無線通信を行う近距離無線通信装置を設置するだけで，移動体の位置情報を事業者のコンピュータで管理することができる。これによって，事業者のコスト的負担を軽減することができる。また，可搬型通信端末の利用者が移動体に乗車していれば，移動体がバス停などの所定位置にいない場合であっても，常に移動体の位置情報を把握することもできる。
【００１５】
上述の発明において，前記可搬型通信端末は，さらに，前記移動体の位置情報の問い合わせ要求の操作を受け付けると，前記可搬型通信端末における位置測位装置を用いて前記可搬型通信端末の位置情報を検出し，前記問い合わせ要求と前記位置情報とを前記コンピュータに送信する移動体情報要求処理部と，前記問い合わせ要求に対応する前記移動体の位置情報を前記コンピュータから受け取り，表示処理を行う移動体情報表示処理部と，を有しており，前記コンピュータは，さらに，前記可搬型通信端末からの問い合わせ要求と位置情報とを受け付け，前記位置情報に対応する移動体を前記検出情報記憶部に基づいて特定し，前記特定した移動体の情報を前記可搬型通信端末に送信する移動体情報問い合わせ処理部と，を有する，移動体位置測位システムのように構成することができる。
【００１６】
本発明のように構成することで，可搬型通信端末の利用者は，自らの周囲にある移動体の位置情報を知ることができる。
【００１７】
上述の発明において，前記検出情報受付処理部は，同一の移動体についての位置情報を，複数の可搬型通信端末から受け付けた場合，受け付けたそれぞれの位置情報を用いて，前記移動体の位置情報を算出または特定し，前記検出情報記憶部に記憶させる，移動体位置測位システムのように構成することができる。
【００１８】
本発明のように，移動体に位置測位装置を設置せず，利用者の可搬型通信端末の位置測位装置により位置情報を検出し，それを移動体の位置情報として用いる場合，移動体に複数の利用者がいると，それぞれの可搬型通信端末から位置情報を受け取る可能性がある。そこで，同一の移動体に対する複数の位置情報について，本発明のように処理を実行することで，位置情報を整理して管理することができる。
【００１９】
上述の発明において，前記可搬型通信端末における前記識別情報検出処理部と位置情報検出処理部と検出情報送信処理部と前記移動体情報要求処理部と前記移動体情報表示処理部とは，一つのアプリケーションプログラムとして，前記可搬型通信端末を機能させる，移動体位置測位システムのように構成することができる。
【００２０】
本発明の移動体位置測位システムにおいては，移動体には事業者が管理するコンピュータとの通信手段を備えず，利用者が利用する可搬型通信端末の通信機能を利用している。そのため，利用者は，本来，自らが負担をしなくてもよい移動体の位置情報，識別情報などを事業者のコンピュータに送る処理をその可搬型通信端末で行っていることとなり，事業者に代わって通信料を負担することとなる。単に利用者が可搬型通信端末の位置情報を検出し，それらの情報を事業者のコンピュータに送信する機能のみを有する場合には，利用者にとって何らのメリットがなく，本発明の移動体位置測位システムの利用が促進されない。しかし，一つのアプリケーションプログラムとして，上述の２つの処理を一体化することによって，利用者は，移動体の位置情報を表示させることができる代わりに，移動体の位置情報を事業者サーバに送信する負担を行うことを受け入れやすくなる。そのため，本発明の移動体位置測位システムの利用の促進を図ることが期待できる。
【００２１】
上述の発明において，前記可搬型通信端末において，前記移動体の位置情報の問い合わせ要求とその位置情報の表示処理がオンになっている場合には，前記可搬型通信端末で検出した位置情報を前記コンピュータに送信する処理をオンにする，またはオフにできない，移動体位置測位システムのように構成することができる。
【００２２】
本発明のように構成することで，移動体の位置情報を知りたい利用者は，自らが位置情報の発信者となることも許容しやすくなる。
【００２３】
第１の発明は，本発明のように構成することでも同様の技術的効果を達成することができる。すなわち，移動体の近傍にいる利用者が利用する可搬型通信端末を用いて，前記移動体の位置情報を所定のコンピュータに送る移動体位置測位システムであって，前記移動体位置測位システムは，前記移動体に設置した近距離無線通信装置から近距離無線通信により発信された装置識別情報または移動体識別情報を前記可搬型通信端末で受信したことを検出する識別情報検出処理部と，前記識別情報検出処理部において装置識別情報または移動体識別情報を受信したことを検出した後，前記可搬型通信端末における位置測位装置を用いて前記可搬型通信端末の位置情報を検出する位置情報検出処理部と，前記装置識別情報または移動体識別情報と，前記位置情報とをあらかじめ定められたコンピュータに送信することで，前記コンピュータにおいて，前記移動体の位置情報として記憶させる検出情報送信処理部と，を備える移動体位置測位システムである。
【００２４】
本発明のアプリケーションプログラムを可搬型通信端末で実行させることで，第１の発明における可搬型通信端末を実現できる。すなわち，可搬型通信端末を，移動体に設置した近距離無線通信装置から近距離無線通信により発信された装置識別情報または移動体識別情報を前記可搬型通信端末で受信したことを検出する識別情報検出処理部，前記識別情報検出処理部において装置識別情報または移動体識別情報を受信したことを検出した後，前記可搬型通信端末における位置測位装置を用いて前記可搬型通信端末の位置情報を検出する位置情報検出処理部，前記装置識別情報または移動体識別情報と，前記位置情報とをあらかじめ定められたコンピュータに送信することで，前記コンピュータにおいて，前記移動体の位置情報として記憶させる検出情報送信処理部，として機能させるアプリケーションプログラムである。
【００２５】
上述のアプリケーションプログラムは，本発明の機能をさらに備えていてもよい。すなわち，前記アプリケーションプログラムは，さらに，前記可搬型通信端末を，前記移動体の位置情報の問い合わせ要求の操作を受け付けると，前記可搬型通信端末における位置測位装置を用いて前記可搬型通信端末の位置情報を検出し，前記問い合わせ要求と前記位置情報とを前記コンピュータに送信する移動体情報要求処理部，前記問い合わせ要求に対応する前記移動体の位置情報を前記コンピュータから受け取り，表示処理を行う移動体情報表示処理部，として機能させ，前記識別情報検出処理部，位置情報検出処理部，検出情報送信処理部，移動体情報要求処理部，移動体情報表示処理部が一つのアプリケーションプログラムとして構成されている，アプリケーションプログラムのように構成することができる。
【発明の効果】
【００２６】
本発明では，バスなどの移動体に近距離無線通信装置を設置するのみで，移動体の近傍にいる利用者の可搬型通信端末の位置を測位して，それを移動体の位置情報として情報提供を行うことができるので，事業者のコスト的負担を減らすことができる。また，移動体がバス停などの所定位置にいない場合であっても，常に移動体の位置が把握可能となり，利便性が高い。
【図面の簡単な説明】
【００２７】
【図１】本発明の移動体位置測位システムのイメージ図である。
【図２】本発明の移動体位置測位システムのシステムの構成の一例を模式的に示す概念図である。
【図３】本発明の移動体位置測位システムで用いるコンピュータのハードウェア構成の一例を模式的に示す概念図である。
【図４】本発明の移動体位置測位システムにおける移動体の位置情報の取得処理を示すフローチャートである。
【図５】本発明の移動体位置測位システムにおける移動体の位置情報の表示処理を示すフローチャートである。
【図６】可搬型通信端末において移動体の位置情報を表示する場合の一例を模式的に示す図である。
【図７】実施例４における移動体位置測位システムのイメージ図である。
【図８】実施例４における移動体位置測位システムのシステム構成の一例を模式的に示す概念図である。
【図９】実施例５における移動体位置測位システムのイメージ図である。
【図１０】実施例５における移動体位置測位システムのシステム構成の一例を模式的に示す概念図である。
【発明を実施するための形態】
【００２８】
本発明の移動体位置測位システム１の全体のイメージ図の一例を図１に示す。また，移動体位置測位システム１のシステム構成の一例を図２に，移動体位置測位システム１で用いるコンピュータのハードウェア構成の一例を図３に示す。
【００２９】
移動体位置測位システム１は，バス，タクシー，トラック，電車などの移動体による事業を行う事業者が利用する事業者サーバ２と，移動体に設置された近距離無線通信装置３と，移動体を利用する利用者が操作する可搬型通信端末４とを用いる。可搬型通信端末４としては，スマートフォン，タブレット型コンピュータ，ラップトップ型コンピュータなど各種の通信機能を有するコンピュータが該当する。
【００３０】
移動体位置測位システム１における事業者サーバ２，可搬型通信端末４はコンピュータによって実現される。コンピュータは，プログラムの演算処理を実行するＣＰＵなどの演算装置７０と，情報を記憶するＲＡＭやハードディスクなどの記憶装置７１と，ディスプレイなどの表示装置７２と，情報の入力を行う入力装置７３と，演算装置７０の処理結果や記憶装置７１に記憶する情報などの各種情報を，近距離無線通信以外の通信方式（たとえばインターネットやＶＰＮなどの通信方式）により通信をする通信装置７４とを有している。なお，コンピュータがタッチパネルディスプレイを備えている場合には表示装置７２と入力装置７３とが一体的に構成されていてもよい。タッチパネルディスプレイは，可搬型通信端末４などで利用されることが多いが，それに限定するものではない。
【００３１】
タッチパネルディスプレイは，そのディスプレイ上で，直接，所定の入力デバイス（タッチパネル用のペンなど）や指などによって入力を行える点で，表示装置７２と入力装置７３の機能が一体化した装置である。
【００３２】
移動体位置測位システム１の事業者サーバ２は一台のコンピュータによって実現されていてもよいが，その機能が複数のコンピュータによって実現されていてもよい。この場合のコンピュータとして，たとえばクラウドサーバであってもよい。
【００３３】
さらに，本発明の移動体位置測位システム１における各手段は，その機能が論理的に区別されているのみであって，物理上あるいは事実上は同一の領域を為していても良い。
【００３４】
移動体の車内または車外の所定箇所には近距離無線通信装置３が取り付けられており，当該近距離無線通信装置３を識別するための装置識別情報を発信する。近距離無線通信装置３としては，数メートルから十メートル程度の範囲で無線通信が可能な装置であればよく，たとえば赤外線通信（ＩｒＤＡ），Ｂｌｕｅｔｏｏｔｈ（登録商標），Ｚｉｇｂｅｅなどの通信規格を用いることができるが，それに限定するものではない。近距離無線通信装置３として，たとえばビーコン装置を用いることができる。
【００３５】
移動体に設置された近距離無線通信装置３は，少なくともその移動体が運行をしている間は近距離無線通信を行い，識別情報の発信をすることが好ましい。また近距離無線通信装置３は，常に識別情報の発信を継続していてもよいし，定期的（たとえば１秒ごと，１０秒ごとなど）に識別情報の発信をしてもよい。
【００３６】
可搬型通信端末４は移動体の利用者（移動体の運転手を含む）が利用する通信端末であって，可搬型通信端末４は，移動体に設置された近距離無線通信装置３との間で近距離無線通信を行う近距離無線通信装置４２，ＧＰＳや携帯電話の基地局，無線ＬＡＮなどによる位置測位装置４３とを備えている。また可搬型通信端末４にはそこで起動するアプリケーションプログラムとして移動体情報処理部４１を備えている。なお，可搬型通信端末４は移動体に乗降する乗客やその周辺にいる人ではなく，移動体の運転手が所持していてもよい。移動体の運転手は常に移動体に乗車しているので，移動体の位置情報が常に把握可能となる。可搬型通信端末４の利用者は，移動体の近傍にいればよい。移動体の近傍としては，たとえば移動体に乗車していたり，移動体が走行する道路付近にいる場合があるが，それに限定するものではない。近距離無線通信装置３による近距離無線通信の通信圏内である必要はある。
【００３７】
可搬型通信端末４における近距離無線通信装置４２は，移動体に設置された近距離無線通信装置３と近距離無線通信が可能であり，移動体の近距離無線通信装置３から発信された装置識別情報を検出する。近距離無線通信装置４２は，移動体の近距離無線通信装置３の通信圏内に入ると，自動的に通信の接続を確立し，近距離無線通信を可能とせしめる。位置測位装置４３はＧＰＳによる位置情報のほか，携帯電話の基地局，無線ＬＡＮなどによる位置情報を用いて，可搬型通信端末４の位置情報を測位する。位置情報としては，緯度経度により表示されていることが好ましいが，それに限定されるものではない。
【００３８】
移動体情報処理部４１は可搬型通信端末４において機能するアプリケーションプログラムであって，識別情報検出処理部４１１と位置情報検出処理部４１２と検出情報送信処理部４１３と移動体情報要求処理部４１４と移動体情報表示処理部４１５とを備える。
【００３９】
識別情報検出処理部４１１は，可搬型通信端末４の近距離無線通信装置４２で，移動体に設置された近距離無線通信装置３からの装置識別情報を受信したことを検出する。
【００４０】
位置情報検出処理部４１２は，識別情報検出処理部４１１において移動体に設置された近距離無線通信装置３からの装置識別情報を検出すると，位置測位装置４３を用いて当該可搬型通信端末４の位置情報と日時情報とを検出する。また，識別情報検出処理部４１１において近距離無線通信装置３からの装置識別情報を検出している間，あらかじめ定められた間隔，たとえば１秒ごとに位置測位装置４３を用いて当該可搬型通信端末４の位置情報を検出する。
【００４１】
検出情報送信処理部４１３は，識別情報検出処理部４１１において受信した装置識別情報と，位置情報検出処理部４１２で検出した位置情報と，装置識別情報または位置情報を検出した日時情報とを，可搬型通信端末４における通信装置７４を介して事業者サーバ２に送信する。
【００４２】
移動体情報要求処理部４１４は，可搬型通信端末４において，可搬型通信端末４の利用者の周辺の移動体の位置情報の問い合わせ要求操作が行われたことを受け付けると，位置測位装置４３を用いて，当該可搬型通信端末４の位置情報を検出する。また，検出した可搬型通信端末４の位置情報と，移動体の位置情報の問い合わせ要求とを，可搬型通信端末４の通信装置７４を介して事業者サーバ２に送信する。
【００４３】
移動体情報表示処理部４１５は，可搬型通信端末４の利用者の周辺の移動体の情報を，事業者サーバ２から可搬型通信端末４の通信装置７４を介して受け付け，可搬型通信端末４の表示装置７２において表示を行わせる。この場合の表示の一例を図６に示す。
【００４４】
移動体情報処理部４１は，可搬型通信端末４における一つのアプリケーションプログラムとして機能するとよいが，それに限定されるものではない。一つのアプリケーションプログラムの場合には，移動体情報処理部４１が，移動体に設置された近距離無線通信装置３から可搬型通信端末４が装置識別情報を受信し，それを検出することで，可搬型通信端末４の位置情報を検出し，それを事業者サーバ２に送信する処理（識別情報検出処理部４１１，位置情報検出処理部４１２，検出情報送信処理部４１３の各処理）と，移動体の位置情報の問い合わせ要求とその位置情報の表示処理（移動体情報要求処理部４１４と移動体情報表示処理部４１５の各処理）との双方をアプリケーションプログラムで一体的に機能させる。
【００４５】
本発明の移動体位置測位システム１においては，移動体には事業者サーバ２との通信手段を備えず，利用者が利用する可搬型通信端末４の通信装置７４を利用している。そのため，利用者は，本来，自らが負担をしなくてもよい移動体の位置情報，識別情報などを事業者サーバ２に送る処理をその可搬型通信端末４で行っていることとなり，事業者に代わって通信料を負担することとなる。単に利用者が可搬型通信端末４の位置情報を検出し，それらの情報を事業者サーバ２に送信する機能のみを有する場合には，利用者にとって何らのメリットがなく，本発明の移動体位置測位システム１の利用が促進されない。しかし，一つのアプリケーションプログラムとして，上述の２つの処理を一体化することによって，利用者は，移動体の位置情報を表示させることができる代わりに，移動体の位置情報を事業者サーバ２に送信する負担を行うことを受け入れやすくなる。そのため，本発明の移動体位置測位システム１の利用の促進を図ることが期待できる。
【００４６】
また，移動体情報処理部４１は，移動体の位置情報を受け取り，その表示をさせる処理を可搬型通信端末４でオン（実行許可）としている場合には，移動体に設置された可搬型通信端末４から受け取った識別情報に基づいて可搬型通信端末４の位置情報を検出し，それを事業者サーバ２に送信する処理も自動的にオン（実行許可）に設定する，またはその機能をオフ（実行不許可）にすることができないように設定されていてもよい。このように構成することで，移動体の位置情報を知りたい利用者は，自らが位置情報の発信者となることも許容しやすくなる。この場合には，移動体情報処理部４１が一つのアプリケーションプログラムとして構成されていてもよいし，異なるアプリケーションプログラムとして構成されていてもよい。
【００４７】
事業者サーバ２は，検出情報受付処理部２１と検出情報記憶部２２と移動体情報記憶部２３と移動体情報問い合わせ処理部２４とを備える。
【００４８】
検出情報受付処理部２１は，可搬型通信端末４から送信された装置識別情報と位置情報と日時情報とを，事業者サーバ２の通信装置７４を介して受け付ける。そして装置識別情報に対応する移動体識別情報を，後述する移動体情報記憶部２３を参照することで特定する。そして特定した移動体識別情報と位置情報と日時情報とを検出情報記憶部２２に記憶させる。
【００４９】
検出情報記憶部２２は，検出情報受付処理部２１で受け付けた装置識別情報に対応する移動体識別情報と位置情報と日時情報とを対応付けて記憶する。
【００５０】
移動体情報記憶部２３は，装置識別情報に対応付けて，近距離無線通信装置３が設置された移動体の識別情報（移動体識別情報）を記憶する。なお，移動体情報記憶部２３には，当該移動体が運行する路線を識別する路線識別情報を記憶していてもよい。
【００５１】
移動体情報問い合わせ処理部２４は，可搬型通信端末４から移動体の位置情報の問い合わせ要求と可搬型通信端末４の位置情報とを，事業者サーバ２の通信装置７４を介して受け付けると，受け付けた可搬型通信端末４の位置情報から所定範囲内にある移動体の移動体識別情報を，検出情報記憶部２２に記憶する位置情報に基づいて特定する。そして特定した移動体の情報を，問い合わせ要求を行った可搬型通信端末４に，事業者サーバ２の通信装置７４を介して送信する。なお，可搬型通信端末４から問い合わせ要求のほかに，移動体の路線を識別する情報などを受け付けている場合には，移動体情報問い合わせ処理部２４は，移動体情報記憶部２３を参照して路線識別情報に基づいて絞込を行い，問い合わせ要求に対応する移動体の情報を特定すればよい。
【実施例１】
【００５２】
つぎに本発明の移動体位置測位システム１の処理プロセスの一例を，図４および図５のフローチャートを用いて説明する。
【００５３】
まず事業者サーバ２において移動体の位置情報を取得する処理を図４のフローチャートを用いて説明する。なお以下の説明においては移動体としてバス，近距離無線通信装置３としてビーコン装置を用いる場合を説明する。
【００５４】
事業者サーバ２の移動体情報記憶部２３には装置識別情報とバスを識別する移動体識別情報とが対応付けて記憶されている。また，バスには，装置識別情報を近距離無線通信により発信するビーコン装置があらかじめ取り付けられている。そして可搬型通信端末４はバスの乗客が所持しているとする。
【００５５】
バスに設置されたビーコン装置は，近距離無線通信であるＢｌｕｅｔｏｏｔｈによりあらかじめ定められた装置識別情報を発信している。装置識別情報は乗客がバスに乗車することで，乗客が利用する可搬型通信端末４の近距離無線通信装置４２（Ｂｌｕｅｔｏｏｔｈ機能）で受信し，それを識別情報検出処理部４１１が検出する（Ｓ１００）。そして識別情報検出処理部４１１において，近距離無線装置４２で装置識別情報を受信したことを検出すると，位置情報検出処理部４１２が位置測位装置４３により，可搬型通信端末４の位置情報を検出する（Ｓ１１０）。
【００５６】
可搬型通信端末４の位置情報を検出すると，検出情報送信処理部４１３は，装置識別情報と位置情報と日時情報とを，可搬型通信端末４の通信装置７４を介して事業者サーバ２に送信する（Ｓ１２０）。
【００５７】
なお，位置情報検出処理部４１２は，識別情報検出処理部４１１において，近距離無線通信により装置識別情報を受信していることを検出できなくなるまで，所定の間隔，たとえば１秒ごとに可搬型通信端末４の位置情報を位置測位装置４３を用いて検出し，検出情報送信処理部４１３が，装置識別情報と位置情報と日時情報とを，可搬型通信端末４の通信装置７４を介して事業者サーバ２に送信する。
【００５８】
可搬型通信端末４から送信された装置識別情報と位置情報と日時情報とを，事業者サーバ２の通信装置７４を介して受け付けた事業者サーバ２の検出情報受付処理部２１は，装置識別情報に対応する移動体識別情報を移動体情報記憶部２３を参照して特定する（Ｓ１３０）。そして特定した移動体識別情報と位置情報と日時情報とを対応付けて検出情報記憶部２２に記憶させる（Ｓ１４０）。以上のようにすることで，事業者サーバ２でバスの位置情報を記憶，管理することができる。なお，検出情報記憶部２２において，装置識別情報と位置情報と日時情報とを記憶するようにも構成でき，この場合，検出情報受付処理部２１では受け付けた装置識別情報と位置情報と日時情報とを対応付けて記憶することとなる。
【００５９】
なお，Ｓ１００からＳ１４０の可搬型通信端末４の移動体情報処理部４１における処理は，バックグラウンドで機能することが好ましいが，それに限定されない。
【００６０】
つぎに，バス停などでバスを待っている利用者が本発明の移動体位置測位システム１を用いて，バスの位置情報を問い合わせる処理を，図５のフローチャートを用いて説明する。
【００６１】
利用者は可搬型通信端末４で所定の操作を行うことで，移動体情報処理部４１のアプリケーションプログラムを起動し，利用者の周辺にいるバスの位置情報の問い合わせ要求の操作を行う。その操作が行われたことは移動体情報要求処理部４１４で受け付け（Ｓ２００），位置測位装置４３を用いて，当該可搬型通信端末４の位置情報を検出する（Ｓ２１０）。そして，移動体情報要求処理部４１４は，検出した位置情報と，バスの位置情報の問い合わせ要求とを，可搬型通信端末４の通信装置７４を介して事業者サーバ２に送る（Ｓ２２０）。
【００６２】
可搬型通信端末４からのバスの位置情報の問い合わせ要求と位置情報とを，事業者サーバ２の通信装置７４を介して事業者サーバ２の移動体情報問い合わせ処理部２４で受け付けると（Ｓ２３０），移動体情報問い合わせ処理部２４は，受け付けた可搬型通信端末４の位置情報に基づいて，そこから所定範囲内にあるバスの移動体識別情報を検出情報記憶部２２を参照することで特定する。（Ｓ２４０）。移動体情報問い合わせ処理部２４でこのような処理を実行することで，利用者の周辺にいるバスを特定することができる。
【００６３】
そして移動体情報問い合わせ処理部２４は，特定したバスの移動体識別情報とその位置情報とを含む情報を，事業者サーバ２の通信装置７４を介して可搬型通信端末４に送信する（Ｓ２５０）。
【００６４】
可搬型通信端末４の移動体情報処理部４１における移動体情報表示処理部４１５は，可搬型通信端末４の通信装置７４を介して事業者サーバ２から受け付けた，事業者サーバ２で特定したバスの移動体識別情報とその位置情報とを含む情報を地図情報に重畳し，その可搬型通信端末４の表示装置７２で表示させる。これによって，図６のように，自らの周辺にあるバスの位置情報を知ることができる。また，位置情報のほか，バスの路線情報などが送られている場合には，たとえばバスを示すアイコンを選択することで，当該画面上でバスの路線情報などを表示可能としてもよい。
【実施例２】
【００６５】
実施例１では移動体に設置した近距離無線通信装置３から装置識別情報を送信する場合を説明したが，近距離無線通信装置３から移動体識別情報を送信するように構成してもよい。この場合，事業者サーバ２に移動体情報記憶部２３は設けずともよく，設ける場合には，移動体識別情報と路線識別情報とを対応付けて記憶させていてもよい。
【００６６】
この場合，可搬型通信端末４の近距離無線通信装置４２では，近距離無線通信装置３から送信された移動体識別情報を受信し，それを識別情報検出処理部４１１で検出する。そして位置情報検出処理部４１２が位置測位装置４３を用いて，可搬型通信端末４の位置情報を検出する。検出情報送信処理部４１３は，移動体識別情報と位置情報と日時情報とを，可搬型通信端末４の通信装置７４を介して事業者サーバ２に送信する。
【００６７】
事業者サーバ２の検出情報受付処理部２１は，可搬型通信端末４から移動体識別情報と位置情報と日時情報とを，事業者サーバ２の通信装置７４を介して受け付けると，それらを検出情報記憶部２２に記憶させる。
【００６８】
以上のような処理を実行することで，事業者は，各移動体の位置情報を，実施例１の場合と同様に記憶し，管理することができる。可搬型通信端末４からの移動体の位置情報の問い合わせ処理については，実施例１と同様の処理で実現可能である。
【実施例３】
【００６９】
本発明の移動体位置測位システム１では，移動体の利用者の可搬型通信端末４の位置測位装置４３および通信装置７４の通信機能を利用することで，事業者サーバ２に移動体の位置情報を送信している。そのため，本発明の移動体情報処理部４１の機能を有する可搬型通信端末４を利用する利用者が移動体に複数いた場合，事業者サーバ２の検出情報受付処理部２１では，それぞれの可搬型通信端末４から移動体の位置情報などを受信する。その場合，受け付けた位置情報をそのまま検出情報記憶部２２に記憶させてしまうと，同一の移動体について，重複した情報，あるいは同じまたはほぼ同じ日時情報においても異なる位置情報が記憶されてしまう可能性がある。
【００７０】
これは，それぞれの可搬型通信端末４の位置測位装置４３による位置情報が必ずしも同一とはならない場合もあるためである。
【００７１】
そこで本実施例の検出情報処理部では，同一の装置識別情報または移動体識別情報を可搬型通信端末４から受け付けた場合の処理を説明する。
【００７２】
検出情報受付処理部２１は，異なる可搬型通信端末４から装置識別情報または移動体識別情報を受け付けた場合，検出情報記憶部２２における日時情報を参照して，一定時間（たとえば可搬型通信端末４が事業者サーバ２に位置情報などを送信するタイミングよりも短い間隔（１秒未満の間隔）の範囲内における，装置識別情報または移動体識別情報が同一である位置情報があるかを判定する。そして，一定時間の範囲内に，同一の移動体に対する位置情報であることを判定した場合には，それらの装置識別情報または移動体識別情報に対応する位置情報についての平均値の算出処理，同一である位置情報の数が多い位置情報を採用する処理，精度が高い位置情報を採用する処理などの重複処理を行う。そして重複処理の処理結果による位置情報を，検出情報記憶部２２に記憶する位置情報とする。
【００７３】
位置情報についての平均値の算出処理としては，同一の移動体に対する位置情報のうち，緯度，経度のそれぞれについて平均値を算出し，それを移動体の位置情報とする処理である。
【００７４】
同一である位置情報の数が多い位置情報を採用する処理としては，位置情報を一定の範囲毎にグループ化し，そのグループ内にある位置情報の数が多いグループを特定する。そして，特定したグループにおける位置情報の平均値を算出することで，移動体の位置情報とする処理である。
【００７５】
精度が高い位置情報を採用する処理としては，移動体がバスである場合，バスが走行可能な道路はあらかじめ定められているので，走行可能な道路の位置情報はあらかじめ設定されている。そのため，走行可能な道路の位置情報の範囲内にある可搬型通信端末４の位置情報を，精度が高い位置情報として判定し，その位置情報を採用することができる。
【００７６】
重複処理としては上述に限られない。
【００７７】
本実施例においては，位置測位装置４３においてＧＰＳ衛星からの正確な日時情報（または時刻情報。本明細書において同様）を取得している。そのため，検出情報送信処理部４１３が事業者サーバ２に対して，日時情報として位置測位装置４３からの正確な日時情報をあわせて送信することで，事業者サーバ２の検出情報受付処理部では，正確な日時情報を取得することができる。
【００７８】
そこで，上述の重複処理の際に，複数の日時情報，位置情報を用いることで，移動体の位置推定精度を向上させることができる。また，移動体の位置情報の経時的変化を示す移動情報の推定精度を向上させることもできる。さらに，移動体の速度の推定も可能となる。
【００７９】
さらに，位置推定精度，移動情報の推定精度を向上させることが可能となるので，各利用者における測位間隔を延ばすことが可能となる。その結果，電池消費や通信量の減少を実現することが可能となる。
【実施例４】
【００８０】
実施例１乃至実施例３の異なる実施態様として，さらに，近距離無線通信装置５を移動体が乗客を乗降させる場所，たとえばバスの停留所やタクシー乗り場などに設置してもよい。この場合，その乗降場所にいる利用者の数を事業者サーバ２で記憶し，管理することが可能となる。本実施態様の移動体位置測位システム１のイメージを図７に，移動体位置測位システム１のシステム構成の一例を図８に示す。
【００８１】
事業者サーバ２では，移動体に設置された近距離無線通信装置３の装置識別情報か，移動体以外の乗降場所，たとえばバス停に設置された近距離無線通信装置５の装置識別情報かを記憶する装置識別情報記憶部２５を備える。また，近距離無線通信装置５の装置識別情報と乗降場所の情報とその乗降場所にいる人数の情報とは対応づけて記憶されている。
【００８２】
バス停に近距離無線通信装置５を設置した場合，可搬型通信端末４を所持した利用者がバスに乗車するため，バス停の近傍で待っていると，可搬型通信端末４の近距離無線通信装置４２は，近距離無線通信装置５が近距離無線通信により送信する装置識別情報を受信し，それを識別情報検出処理部４１１で検出する。
【００８３】
そして位置情報検出処理部４１２が位置測位装置４３を用いて，その可搬型通信端末４の位置情報を検出し，検出情報送信処理部４１３が装置識別情報と位置情報と日時情報とを，可搬型通信端末４の通信装置７４を介して事業者サーバ２に送信する。
【００８４】
事業者サーバ２の検出情報受付処理部２１において，装置識別情報と位置情報と日時情報とを，事業者サーバ２の通信装置７４を介して受け付けると，装置識別情報が移動体に設置された装置識別情報か，バス停に設置された装置識別情報かを，装置識別情報記憶部２５に基づいて判定する。そして，移動体に設置された装置識別情報であると判定すると，上述の実施例１乃至実施例３と同様の処理を実行する。
【００８５】
一方，移動体以外，たとえばバス停に設置された装置識別情報であることを判定すると，その装置識別情報に対応づけられた乗降場所を装置識別情報記憶部２５を参照することで特定し，事業者サーバ２の装置識別情報記憶部２５に，当該乗降場所にいる利用者の数を更新して記憶させる。これによって，事業者は，乗降場所ごとの利用者の数を把握することができる。
【００８６】
また，可搬型通信端末４の位置情報検出処理部４１２は，識別情報検出処理部４１１において乗降場所に設置された近距離無線通信装置５の装置識別情報を受信している間はその乗降場所にいる可搬型通信端末４の位置情報を，バスなどの移動体に乗車した場合には移動体に設置された近距離無線通信装置３の装置識別情報を受信しその移動体にいる可搬型通信端末４の位置情報を，それぞれ事業者サーバ２に送信することとなるので，乗降場所にいるか，移動体にいるかが自動的に処理されて，その位置情報を管理することが可能となる。
【実施例５】
【００８７】
実施例１乃至実施例４の異なる実施態様として，可搬型通信端末４の移動体情報処理部４１における検出情報送信処理部４１３が，装置識別情報または移動体識別情報，位置情報，日時情報に加えて，さらに当該可搬型通信端末４または利用者の識別情報を送るように構成することもできる。この場合，検出情報記憶部２２に，さらに対応づけて可搬型通信端末４または利用者の識別情報を記憶させるようにしてもよい。
【００８８】
この場合，事業者サーバ２は，可搬型通信端末４または利用者の識別情報を受け付けることで，対応する可搬型通信端末４または利用者の識別情報の位置情報を，その問い合わせを行った者のコンピュータに送信する位置情報問い合わせ処理部２６を備えてもよい。
【００８９】
すなわち，位置情報の問い合わせを行いたい者，たとえば子供の位置情報を知りたい親は，子供に本発明の移動体位置測位システム１にかかる機能を備えた可搬型通信端末４を所持させる。そして，子供が所持する可搬型通信端末４は，上述の実施例１乃至実施例４のようにその移動体の中から，可搬型通信端末４の位置情報を送るとともに，可搬型通信端末４または利用者の識別情報をあわせて事業者サーバ２に送る。
【００９０】
そして，親が子供の位置情報を知りたい場合，親が利用するコンピュータから所定の方法で移動体位置測位システム１の事業者サーバ２にアクセスし，子供の所持する可搬型通信端末４または子供の識別情報と，位置情報の問い合わせの要求を事業者サーバ２に送る。
【００９１】
かかる要求を受け付けた事業者サーバ２の位置情報問い合わせ処理部２６は，当該可搬型通信端末４または子供の識別情報に基づいて検出情報記憶部２２を参照し，可搬型通信端末４または子供の位置情報を特定する。そして親が利用するコンピュータにその位置情報を送る。
【００９２】
このような処理によって，移動体に乗車している子供などの家族の位置情報を知ることができる。
【産業上の利用可能性】
【００９３】
本発明の移動体位置測位システム１を用いることで，バスなどの移動体に近距離無線通信装置３を設置するのみで，移動体の近傍にいる利用者の可搬型通信端末の位置を測位して，それを移動体の位置情報として情報提供を行うことができるので，交通事業者のコスト的負担を減らすことができる。また，移動体がバス停などの所定位置にいない場合であっても，常に移動体の位置が把握可能となり，利便性が高い。
【符号の説明】
【００９４】
１：移動体位置測位システム
２：事業者サーバ
３：移動体に設置される近距離無線通信装置
４：可搬型通信端末
５：乗降場所に設置される近距離無線通信装置
２１：検出情報受付処理部
２２：検出情報記憶部
２３：移動体情報記憶部
２４：移動体情報問い合わせ処理部
２５：装置識別情報記憶部
２６：位置情報問い合わせ処理部
４１：移動体情報処理部
４２：可搬型通信端末の近距離無線通信装置
４３：位置測位装置
７０：演算装置
７１：記憶装置
７２：表示装置
７３：入力装置
７４：通信装置
４１１：識別情報検出処理部
４１２：位置情報検出処理部
４１３：検出情報送信処理部
４１４：移動体情報要求処理部
４１５：移動体情報表示処理部
【図１】
2018156444.tif 000003
【図２】
2018156444.tif 000004
【図３】
2018156444.tif 000005
【図４】
2018156444.tif 000006
【図５】
2018156444.tif 000007
【図６】
2018156444.tif 000008
【図７】
2018156444.tif 000009
【図８】
2018156444.tif 000010
【図９】
2018156444.tif 000011
【図１０】
2018156444.tif 000012